(57)【要約】      （修正有）【課題】従来と同様に授乳時に授乳口を容易に確保できるだけでなく、見栄えがよくファッション性に優れた授乳用ストラップを提供する。【解決手段】少なくとも使用時にループ状に形成されてなる弾性部材２、該弾性部材の一部に設けられた１または複数のオーナメント３とを有する授乳用ストラップ１。１または複数のオーナメントが設けられているため、ループ部分を常に首にかけていたとしても、一見すれば、たとえばキャミソールなどの衣服の一部が露出しているかのような印象を周囲に与え、従来の授乳用ストラップのような単なるひもを首にかけているような印象を周囲に与えることがない。その結果、通常の衣服と比べて違和感がなく、見栄えおよびファッション性に優れた授乳用ストラップを実現することができる。【選択図】図１
0003167486.tif 000002
【実用新案登録請求の範囲】
【請求項１】
少なくとも使用時にループ状に形成されてなる弾性部材と、該弾性部材の一部に設けられた１または複数のオーナメントとを有する授乳用ストラップ。
【請求項２】
前記弾性部材が未使用時に長尺のひも状部材であり、
前記オーナメントが、使用時に前記弾性部材の両端を結んで形成されてなる請求項１記載の授乳用ストラップ。
【請求項３】
前記弾性部材が未使用時にループ状に形成されてなる請求項１記載の授乳用ストラップ。
【請求項４】
前記弾性部材が、前記弾性部材の一部または全部を被覆する被覆部材をさらに有する請求項１〜３のいずれか１項に記載の授乳用ストラップ。
【請求項５】
前記オーナメントが、前記弾性部材または前記被覆部材と同じ材料からなる請求項４記載の授乳用ストラップ。
【考案の詳細な説明】
【技術分野】
【０００１】
本考案は、授乳用ストラップに関する。さらに詳しくは、授乳時に授乳口を容易に確保でき、かつ、ファッション性に優れた授乳用ストラップに関する。
【背景技術】
【０００２】
従来、赤ちゃんに授乳する際などに、授乳口を確保するために片手で衣服をたくしあげ、もう片方の手（腕）で赤ちゃんを抱えて授乳する方法が採られている。
【０００３】
しかしながら、かかる方法では、片腕で赤ちゃんを支えなければならず、片腕にかかる負担が大きいという問題がある。また、片腕で赤ちゃんを支えることは、両腕で支える場合に比べて安定性が悪く、赤ちゃんにとって危険である。一方、授乳開始時に片腕で衣服をたくしあげて授乳口を確保したのちに、両腕で赤ちゃんを支えて授乳を開始したとしても、たくしあげた衣服が赤ちゃんの顔などにかかる場合があり、不都合である。
【０００４】
かかる問題を解決するために、特許文献１に記載の授乳用着衣固定具（以下、授乳用ストラップ６という）が知られている。図１２は、従来の授乳用ストラップ６を首にかけた状態の説明図である。図１３は、従来の授乳用ストラップ６を使用して授乳する前の状態を説明する説明図である。図１４は、従来の授乳用ストラップ６を使用して授乳している状態を説明する説明図である。図１２および図１３に示されるように、当該授乳用ストラップ６によれば、使用者は、当該授乳用ストラップ６を首にかけ、着衣の下に吊し、必要に応じて着衣をたくしあげて衣服の授乳口を確保することができる。そのため、両手で赤ちゃんを支えながら授乳口を確保することができる。
【０００５】
ここで、一般に、赤ちゃんを連れて外出する際、授乳の度に当該授乳用ストラップ６を首からかけて使用することは利便性が悪いため、当該授乳用ストラップ６は、常に首にかけられた状態にあると考えられる。その場合において、当該授乳用ストラップ６は外観上見えやすい位置にあるため、特許文献１のような外観の授乳用ストラップ６は、単なるひもを首にかけている印象を与え、ファッション性に乏しいという問題がある。
【先行技術文献】
【特許文献】
【０００６】
【特許文献１】特開２００９−４１１２９号公報
【考案の概要】
【考案が解決しようとする課題】
【０００７】
そこで、本考案は、従来と同様に授乳時に授乳口を容易に確保できるだけでなく、見栄えがよくファッション性に優れた授乳用ストラップを提供することを目的とする。
【課題を解決するための手段】
【０００８】
本考案の授乳用ストラップは、少なくとも使用時にループ状に形成されてなる弾性部材と、該弾性部材の一部に設けられた１または複数のオーナメントとを有することを特徴とする。
【０００９】
本考案にかかる授乳用ストラップは、かかる構成を有しており、特に１または複数のオーナメントが設けられているため、ループ部分を常に首にかけていたとしても、一見すれば、たとえばキャミソールなどの衣服の一部が露出しているかのような印象を周囲に与え、従来の授乳用ストラップのような単なるひもを首にかけているような印象を周囲に与えることがない。その結果、通常の衣服と比べて違和感がなく、見栄えおよびファッション性に優れた授乳用ストラップを提供することができる。
【００１０】
上記弾性部材が未使用時に長尺のひも状部材であり、上記オーナメントが、使用時に上記弾性部材の両端を結んで形成されてなるか、弾性部材が未使用時にループ状に形成されてなることが好ましい。
【００１１】
弾性部材が未使用時に長尺のひも状部材であった場合において、使用時に弾性部材の両端を結んでオーナメントを形成すれば、授乳用ストラップはループ状に形成されることとなる。この場合、ループ部分を常に首にかけていたとしても、通常の衣服と比べて違和感がなく、見栄えおよびファッション性に優れた授乳用ストラップを提供することができる。一方、未使用時にループ状に形成されてなる場合も同様に、かかるループ部分を常に首にかけていたとしても、通常の衣服と比べて違和感がなく、見栄えおよびファッション性に優れた授乳用ストラップを提供することができる。
【００１２】
上記弾性部材が、上記弾性部材の一部または全部を被覆する被覆部材をさらに有することが好ましい。
【００１３】
当該構成を有することにより、オーナメントだけでなく、首にかけられたループ状に形成された弾性部材についても見栄えやファッション性を向上させることができる。また、オーナメントの形状や色と併せてさらなるデザイン性の向上が期待できる。
【００１４】
上記オーナメントが、上記弾性部材または被覆部材と同じ材料からなることが好ましい。
【００１５】
当該構成を有することにより、オーナメントと弾性部材または被覆部材とが一体的に形成されているようなホルターネック風の印象を与え、見栄えやファッション性をさらに向上させることができる。
【考案の効果】
【００１６】
本考案によれば、従来と同様に授乳時に授乳口を容易に確保できるだけでなく、見栄えがよくファッション性に優れた授乳用ストラップを提供することができる。
【図面の簡単な説明】
【００１７】
【図１】本考案の授乳用ストラップの一実施形態（実施の形態１）にかかる授乳用ストラップの正面図
【図２】本考案の授乳用ストラップの一実施形態（実施の形態１）にかかる弾性部材を説明する説明図
【図３】本考案の授乳用ストラップの一実施形態（実施の形態１）にかかる授乳用ストラップの使用状態を説明する説明図
【図４】本考案の授乳用ストラップの一実施形態（実施の形態１）にかかる授乳用ストラップの変形例の正面図
【図５】本考案の授乳用ストラップの一実施形態（実施の形態１）にかかる授乳用ストラップの変形例の正面図
【図６】本考案の授乳用ストラップの一実施形態（実施の形態２）にかかる授乳用ストラップの被覆部材を説明する説明図
【図７】本考案の授乳用ストラップの一実施形態（実施の形態２）にかかる授乳用ストラップの部分拡大図
【図８】本考案の授乳用ストラップの一実施形態（実施の形態３）にかかる授乳用ストラップの変形例の正面図
【図９】本考案の授乳用ストラップの一実施形態（実施の形態３）にかかる授乳用ストラップの使用状態を説明する説明図
【図１０】本考案の授乳用ストラップの一実施形態（実施の形態３）にかかる授乳用ストラップを首にかけた状態を説明する説明図
【図１１】本考案の授乳用ストラップの一実施形態（実施の形態３）にかかる授乳用ストラップを使用して授乳する前の状態を説明する説明図
【図１２】従来の授乳用ストラップを首にかけた状態の説明図
【図１３】従来の授乳用ストラップを使用して授乳する前の状態を説明する説明図
【図１４】従来の授乳用ストラップを使用して授乳している状態を説明する説明図
【考案を実施するための形態】
【００１８】
（実施の形態１）
本実施の形態にかかる授乳用ストラップ１は、図１に示される。図１は、本実施の形態にかかる授乳用ストラップ１の正面図である。図１に示されるように、本実施の形態にかかる授乳用ストラップ１は、少なくとも使用時にループ状に形成されてなる弾性部材２と、該弾性部材２の一部に設けられた１または複数のオーナメント３とを有する。
【００１９】
弾性部材２は、少なくとも使用時にループ状に形成されているため、首にかけることができる。すなわち、未使用時にはループ状に形成されていなくてもよい。弾性部材２を構成する材料としては、弾性を有する材料であれば特に限定されない。たとえばコールゴム、織りゴム、編みゴム、ゴムテープ、ゴムチューブ、ゴムロープ、レースゴムなどの弾性を有する比較的扁平なひもを使用することができる。また、模様も特に限定されず、無地、ストライプ、チェック、水玉、花柄プリント、その他プリント柄等の模様を自由に採用することができる。図２では、弾性部材２の一例として無地のレースゴムからなる弾性部材２を示している。弾性部材２の長さは特に限定されず、一般女性の体の大きさに適切な長さであればよい。たとえば９０ｃｍ〜１２０ｃｍ程度が好ましい。また、弾性部材２の幅も特に制限されないが、あまりに幅が狭いと弾性部材２の強度が弱く破損するおそれがあるため、たとえば０．５ｃｍ〜２ｃｍ程度が好ましい。
【００２０】
オーナメント３は、弾性部材２の一部に設けられている。本実施の形態では、このように弾性部材２の一部にオーナメント３が設けられているため、図３に示されるように授乳用ストラップ１を当該オーナメント３が衣服の外に出るよう首からかけることにより、見栄えおよびファッション性が向上する。図３は、授乳用ストラップ１の使用状態を説明する説明図である。図３に示されるように、オーナメント３は首の後ろに位置しているため、たとえばホルターネックのキャミソールの一部が見えているような印象を周囲に与えることができる。これにより、日常のファッションの一部として授乳用ストラップ１を首にかけることができ、本実施の形態にかかる授乳用ストラップ１を首からかけた状態で外出したとしても何ら違和感がない。
【００２１】
オーナメント３の材料としては特に限定されず、上記した弾性部材２と同じ材料を使用してもよく、他の材料を使用してもよい。本実施の形態にかかる弾性部材２はストレッチ性を有するゴムを材料としている。弾性部材２と同じ材料を使用してオーナメント３を作成した場合、一体的に形成されているような印象を与えることができ、見栄えやファッション性がさらに向上する。また、後述する被覆部材４と同じ材料としてもよい。これにより、多くのデザインバリエーションを創作することができる。さらに、ひも状の織物を使用してもよく、これにより種々の大きさのリボンを作成してもよい。
オーナメント３の個数は、１つでもよく、複数であってよい。これにより、デザインのバリエーションを豊富にすることができる。図４はオーナメント３の数を２つとし、それぞれ片側に並べた場合の変形例である。図５は、オーナメント３の数を２つとし、首の左右に位置するよう両側に並べた場合の変形例である。
【００２２】
また、オーナメント３は、ボタン等を使用して着脱自在に弾性部材２に取り付けてもよい。これにより、オーナメント３の位置を移動させることができる。また、複数種類の弾性部材２を所有する場合に、取り付けるオーナメント３の種類や個数を変えることにより選択の幅を広げ、さらに見栄えやファッション性を向上させることができる。
本実施の形態にかかる授乳用ストラップ１によれば、弾性部材２を形成するループ部分を常に首にかけていたとしても、一見すれば、たとえばキャミソールなどの衣服の一部が露出しているかのような印象を周囲に与え、授乳用の単なるひもを首にかけているような印象を周囲に与えることがない。その結果、通常の衣服と比べて違和感がなく、見栄えやファッション性に優れた授乳用ストラップ１を提供することができる。また、オーナメント３を弾性部材２と同じ材料で作成すれば、オーナメント３と弾性部材２とが一体的に形成されたホルターネックの衣服を着用しているような印象を周囲に与え、見栄えやファッション性をさらに向上させることができる。また、ひも状の織物とすることにより、多くのバリエーションのある授乳用ストラップ１を提供することができる。
【００２３】
（実施の形態２）
本実施の形態にかかる授乳用ストラップは、図６および図７に示される。図６は、本実施の形態にかかる授乳ストラップに使用される被覆部材の説明図である。図７は、本実施の形態にかかる授乳ストラップの部分拡大図である。本実施の形態にかかる授乳用ストラップは、弾性部材２が、当該弾性部材２の一部または全部を被覆する被覆部材４をさらに有すること以外は実施の形態１の授乳用ストラップと同じであるため、同一の参照符号を付して説明を省略する。
【００２４】
被覆部材４は、弾性部材２の一部または全部を被覆する部材である。被覆部材４の材料としては特に限定されず、上記した弾性部材２やオーナメント３と同じ材料を使用してもよく、他の材料を使用してもよい、またギャザー部、プリーツ部、タック部等を自由に設けることができる。
【００２５】
被覆部材４を使用して弾性部材２の一部または全部を被覆することにより、たとえば弾性部材２が単なるコールゴムのように比較的地味なものであったとしても、見栄えのよい被覆部材４で被覆することにより見栄えやファッション性を向上させることができる。また、弾性部材２が肌に刺激を与える可能性のある材料を使用している場合、被覆部材４で被覆することにより肌への刺激を緩和することができる。さらに、弾性部材２の一部を被覆する際に、弾性部材２の色と異なる色の被覆部材４で弾性部材の一部または全部を被覆したり、薄い透けた生地の被覆部材４で弾性部材２の一部または全部を被覆したり、オーナメント３の色と異なる色の被覆部材４を使用することにより、見た目のコントラストを利用した種々のデザインを創作することができる。図６では、弾性部材２の全部を被覆した被覆部材４を例示している。図６の被覆部材４はギャザー部を構成している。図７では、当該被覆部材４を有する弾性部材２にオーナメント３を取り付けた状態を説明している。
【００２６】
このように一部または全部を被覆することにより、オーナメント３だけでなく、首にかけられたループ状に形成された弾性部材２についても見栄えやファッション性を向上させることができる。また、オーナメント３の形状や色と併せてさらなるデザイン性の向上が期待できる。
【００２７】
（実施の形態３）
本実施の形態にかかる授乳用ストラップ５は、弾性部材２が未使用時に長尺のひも状部材であり、オーナメント３が、使用時に弾性部材２の両端を結んで形成されてなる以外は、実施の形態１にかかる授乳用ストラップ１と同じであり、同一の参照符号を付して説明を省略する。
【００２８】
本実施の形態にかかる授乳用ストラップ５は、図８〜図１１に示される。図８は、本実施の形態にかかる授乳用ストラップの変形例の正面図である。図８かかる授乳用ストラップ５の弾性部材には、弾性部材の全部を被覆するよう被覆部材４で被覆されてなる。図９は、本実施の形態にかかる授乳用ストラップの使用状態を説明する説明図である。図１０は、本実施の形態にかかる授乳用ストラップを首にかけた状態の説明図である。図１１は、本実施の形態にかかる授乳用ストラップを使用して授乳する前の状態を説明する説明図である。図８〜図９に示されるように、本実施の形態にかかる授乳用ストラップ５は、未使用時には弾性部材が長尺のひも状部材であり、使用時に弾性部材の両端部を結ぶことによりオーナメント３を形成するとともに、ループ状とすることができる。
【００２９】
このように、弾性部材５の両端部を結んでオーナメント３を形成しているため、オーナメント３の大きさや個数を調整することにより授乳用ストラップ５そのものの長さを調整することが可能である。また、結び方を変えれば、バリエーションの豊かなオーナメント３を作成することも可能である。さらに、弾性部材の一部に、実施の形態１および実施の形態２において述べたオーナメント３を別途設けていてもよい。
【００３０】
本実施の形態にかかる授乳用ストラップを首からかけた状態では、図９に示されるように、通常の衣服と比べて違和感がなく、見栄えやファッション性に優れた授乳用ストラップ５を提供することができる。また、図１１に示されるように、使用時に確実に授乳口を確保することができる。
【産業上の利用可能性】
【００３１】
本考案の授乳用ストラップは、従来と同様に授乳時に授乳口を容易に確保できるだけでなく、見栄えがよくファッション性に優れた授乳用ストラップであるため、授乳用ストラップの分野などにおいて好適に用いることが可能である。
【符号の説明】
【００３２】
１、５、６  授乳用ストラップ
２  弾性部
３  オーナメント
４  被覆部材
【図１】
0003167486.tif 000003
【図２】
0003167486.tif 000004
【図３】
0003167486.tif 000005
【図４】
0003167486.tif 000006
【図５】
0003167486.tif 000007
【図６】
0003167486.tif 000008
【図７】
0003167486.tif 000009
【図８】
0003167486.tif 000010
【図９】
0003167486.tif 000011
【図１０】
0003167486.tif 000012
【図１１】
0003167486.tif 000013
【図１２】
0003167486.tif 000014
【図１３】
0003167486.tif 000015
【図１４】
0003167486.tif 000016